(57)【要約】  【課題】  本発明は、従来の問題点に鑑みて、簡単な構造で、機能性・意匠性に優れた使い勝手のよい医療用コンソールユニットを提供することを課題とする。【解決手段】  本体と扉体と回転ヒンジと連結体を備えた医療用コンソールユニットの、扉体と連結体で、断面Ｌ字状を形成し、回転ヒンジを、本体のアウトレットの取り付け面のいずれかの端部に直交する面側と連結体に取り付け、閉止状態の扉体を回転開放するとき、連結体によって、開放された扉体の扉体の回転軸側が、アウトレットの取り付け面より後退した位置となるようにする。【選択図】  図８
2015211710.tif 000002
【特許請求の範囲】
【請求項１】
医療用ガスのアウトレットや医療用壁掛式吸引器の取り付けフック、ナースコール子機器具、コンセント、スイッチ等の医療用機器が組み付けられる医療用コンソールユニットにおいて、医療用コンソールユニットは、本体と扉体と回転ヒンジと連結体を備え、本体は、上下方向に長い縦型の筐体状で、前記医療用機器の取り付け部を備え、該取り付け部に前記医療用機器が組み付けられるものであって、扉体は、本体に取り付けられた前記アウトレットの前面側を覆う略矩形を成す板状のものであって、回転ヒンジは、固定側と回転側と回転軸とを備え、固定側が本体のアウトレットの取り付け面のいずれかの端部に直交する面側に回転軸が垂直方向となるように取り付けられ、回転側が、扉体と連結する連結体に取り付けられるものであって、連結体は、一端部側が回転ヒンジの回転側に連結され、他方端側が扉体に連結されるものであって、扉体が、連結体を介して回転ヒンジの回転軸を中心に回転開閉自在とされ、扉体の閉止状態で、本体に取り付けられたナースコール子機器具は、隠蔽されずに常に露呈した状態とされ、本体に取り付けられた前記アウトレットの前面側が扉体で覆われることによって少なくともアウトレットが隠蔽され、閉止状態の扉体を回転させ開放することによって、アウトレットが露呈するとともに、連結体によって、開放された扉体の扉体の回転軸側が、アウトレットの取り付け面より後退した位置とされることを特徴とする医療用コンソールユニット。
【請求項２】
回転軸の位置が、本体のアウトレットの取り付け面のいずれかの端部に直交する面の前後方向の中心位置より後側とされることを特徴とする請求項１に記載の医療用コンソールユニット。
【請求項３】
連結体は、略矩形を成す板状であって、扉体の一端部と直行するように取り付けられ、扉体と連結体で、断面Ｌ字状を成すことを特徴とする請求項２に記載の医療用コンソールユニット。
【発明の詳細な説明】
【技術分野】
【０００１】
本発明は、主に病室内に設置され、患者に医療看護行為を行う為のコンセント、スイッチ、ナースコールなどの電気設備や、医療用ガスのアウトレットなどが組み付けられる医療用コンソールユニットに関するものである。
【背景技術】
【０００２】
ベッドの頭部側壁面に固定された医療用コンソールユニットにおいて、医療用ガス等のアウトレット等の医療看護設備が露呈すると、患者が息苦しさと不安感が生じ、病室の雰囲気としても好ましくないため、医療用ガス等のアウトレット等を摺動開閉自在な前面カバーによって覆うものがある。
このような前面カバーは昇降機構を介して取り付けられており、前面カバーを上昇させて前面を開放し、上昇させた前面カバーを下降させて前面を閉鎖するように開放閉塞自在とされる。
そして、前面カバーから開放された部分にアウトレットが並べられ、医療用壁掛式吸引器を引っ掛けるフックが取り付けられている。
医療用壁掛式吸引器は、前記フックの上方より下方に向かってスライドさせることによって、フックに医療用壁掛式吸引器を引っ掛けるが、医療用壁掛式吸引器の種類によっては、医療用壁掛式吸引器をフックの上方より下方に向かってスライドさせる時に、フックの上方に上昇した状態の前面カバーがあると、前面カバーと医療用壁掛式吸引器が干渉してフックに取り付けることができないといった問題がある。
また、アウトレットの上方部に、ガス配管や電気配線のメンテナンス作業用にメンテナンス用開口部を設け、該開口部を着脱自在なパネルで閉塞し、メンテナンス時に前記パネルを取り外しメンテナンス作業が行えるようにしたものがあるが、昇降式の前面カバーの場合、上昇した前面カバーがメンテナンスの邪魔になるので、メンテナンスの度に前面カバーを取り外す必要があった。
さらに、昇降式の前面カバーにすると、前面カバーを上昇させる時に、前面カバーの重量分を持ち上げることになるため、大きな前面カバーにした場合には上昇操作が非常に重たくなる。操作が重たくなるのを軽減させるためにバランサーなどを設ける方法もあるが、構造が複雑になるばかりでなく、扉の大きさが変化するたびにバランサーの調整が必要となり手間がかかるといった問題がある。
また、横長形態の医療用コンソールの場合、医療用コンソールユニットの平面視における面積が大きくなるため、医療用コンソールユニットの面積分の病室の床面積が減少するといった問題がある。
【先行技術文献】
【特許文献】
【０００３】
【特許文献１】特開２０１０−０４２０７２公報
【発明の概要】
【発明が解決しようとする課題】
【０００４】
本発明は、従来の問題点に鑑みて、簡単な構造で、機能性・意匠性に優れた使い勝手のよい医療用コンソールユニットを提供することを課題とする。
【課題を解決するための手段】
【０００５】
そこで、上記課題を解決する為、本発明が第１の手段として構成したところは、医療用ガスのアウトレットや医療用壁掛式吸引器の取り付けフック、ナースコール子機器具、コンセント、スイッチ等の医療用機器が組み付けられる医療用コンソールユニットにおいて、医療用コンソールユニットは、本体と扉体と回転ヒンジと連結体を備え、本体は、上下方向に長い縦型の筐体状で、前記医療用機器の取り付け部を備え、該取り付け部に前記医療用機器が組み付けられるものであって、扉体は、本体に取り付けられた前記アウトレットの前面側を覆う略矩形を成す板状のものであって、回転ヒンジは、固定側と回転側と回転軸とを備え、固定側が本体のアウトレットの取り付け面のいずれかの端部に直交する面側に回転軸が垂直方向となるように取り付けられ、回転側が、扉体と連結する連結体に取り付けられるものであって、連結体は、一端部側が回転ヒンジの回転側に連結され、他方端側が扉体に連結されるものであって、扉体が、連結体を介して回転ヒンジの回転軸を中心に回転開閉自在とされ、扉体の閉止状態で、本体に取り付けられたナースコール子機器具は、隠蔽されずに常に露呈した状態とされ、本体に取り付けられた前記アウトレットの前面側が扉体で覆われることによって少なくともアウトレットが隠蔽され、閉止状態の扉体を回転させ開放することによって、アウトレットが露呈するとともに、連結体によって、開放された扉体の扉体の回転軸側が、アウトレットの取り付け面より後退した位置とされるものである。
【０００６】
次に、上記課題を解決する為、本発明が第２の手段として構成したところは、上記第１手段に加え、回転軸の位置が、本体のアウトレットの取り付け面のいずれかの端部に直交する面の前後方向の中心位置より後側とされるものである。
【０００７】
次に、上記課題を解決する為、本発明が第３の手段として構成したところは、上記第２手段に加え、連結体は、略矩形を成す板状であって、扉体の一端部と直行するように取り付けられ、扉体と連結体で、断面Ｌ字状を成すものである。
【発明の効果】
【０００８】
請求項１に記載の発明によると、医療用ガス等のアウトレットが扉体で覆われるので、アウトレットが露呈することがなく患者が息苦しさと不安感が生じにくい。また、アウトレットへの悪戯を防止することができる。扉体は、一辺側に設けられた回転軸を軸として回動開放するので、フックの上方に開放した扉体がくることはない。そのため、医療用壁掛式吸引器をフックの上方より下方に向かってスライドさせる場合にも、医療用壁掛式吸引器が扉体に干渉することがなく、吸引ビンを容易にフックに引っ掛けることができる。さらに、アウトレットの上部にメンテナンス用開口部があっても、メンテナンス時に扉体が邪魔にならないのでメンテナンスが容易に行える。そして通常は、メンテナンス用開口部を扉体と同じ厚みのパネル体で塞くこともできるため、扉体を閉止した状態では医療用コンソールユニットの前面に無用な凹凸がなく見栄えが良い。
また、ナースコール子機器具は、常に露呈しており扉体で隠れることもないため、必要なときにすぐに利用できる。
そして、医療用コンソールユニットは、縦型形態とされているため、床面から天井面まで延伸させることが容易で、天井内に配設される医療用のガス配管や電気配線などを、天井から直接医療用コンソールユニットの上面から医療用コンソールユニット内に引き込むができるので、ガス配管、電気工事が容易になるだけではなく、医療用コンソールユニットの平面視における面積が、横長形態の医療用コンソールに比べ小さくできるので、病室の床面積の減少を抑制することができる。
さらに、開放された扉体の回転軸側が、アウトレットの取り付け面より後退した位置になるから、開放した扉体の前端部が必要以上にアウトレットの取り付け面より突出せず、医療看護行為の邪魔にならない。
【０００９】
請求項２に記載の発明によると、上記の効果に加え、本体のアウトレットの取り付け面のいずれかの端部に直交する面の前後方向の中心位置より後側とされるものであるから、開放された扉体の扉体の回転軸側をアウトレットの取り付け面より大きく後退させることができるため、開放された扉体の前端部の突出量が少なくなる。
【００１０】
請求項３に記載の発明によると、上記の効果に加え、連結体は、また、略矩形を成す板状であるから剛性の確保が容易であるばかりか、扉体と同じく略矩形を成す板状であるから、簡単な構造で断面Ｌ字状を形態を形成することができる。
また扉体と同じ板状矩形であるから、扉体と連結体に一体感が生まれ意匠性に優れる。
【図面の簡単な説明】
【００１１】
【図１】医療用コンソールユニットの使用状態を示す斜視図。
【図２】医療用コンソールユニットの扉体を回動開放した状態の斜視図。
【図３】医療用コンソールユニットの扉体を閉止した状態の正面図。
【図４】図３のＡ−Ａ線要部拡大断面図。
【図５】図３のＢ−Ｂ線要部拡大断面図。
【図６】医療用コンソールユニットにアウトレット等の器具を取り付け、扉体を開放した状態を示す斜視図。
【図７】医療用コンソールユニットの扉体を開放した状態の正面図。
【図８】医療用コンソールユニットの扉体を回動開放した状態を示す要部拡大断面図。
【図９】他の実施例の医療用コンソールユニットの扉体を回動開放した状態の斜視図。
【図１０】従来品の横断面図。
【図１１】従来品の縦断面図。
【発明を実施するための最良の形態】
【００１２】
医療用ガスのアウトレットや医療用壁掛式吸引器の取り付けフック、ナースコール子機器具、コンセント、スイッチ等の医療用機器が組み付けられる医療用コンソールユニットにおいて、本体と扉体と回転ヒンジと連結体を備えた医療用コンソールユニットの本体を、上下方向に長い縦型の筐体状とし、医療用機器の取り付け部を備え、該取り付け部に前記医療用機器を組み付け、扉体を、本体に取り付けられた前記アウトレットの前面側を覆う略矩形を成す板状とし、固定側と回転側と回転軸とを備えた回転ヒンジの固定側を、垂直方向が回転軸となるように本体のアウトレットの取り付け面の一端部に直交する面側の前後方向の中心位置より後側に取り付け、回転側を、略矩形を成す板状の連結体の一端部に取り付け、連結体の他方端部を、扉体の一端部と直行するように取り付け、扉体と連結体を断面Ｌ字状となるように形成し、扉体を、連結体を介して回転ヒンジの回転軸を中心に回転開閉自在とした上、扉体の閉止状態で、本体に取り付けたナースコール子機器具を、隠蔽せずに常に露呈した状態とし、本体に取り付けた前記アウトレットの前面側を閉止した扉体で覆いアウトレットを隠蔽し、閉止状態の扉体を回転させ開放することによって、アウトレットを露呈させるとともに、連結体によって、開放した扉体の扉体の回転軸側が、アウトレットの取り付け面より後退した位置になる医療用コンソールユニット。
【実施例】
【００１３】
以下、第１実施例を添付図面に基づいて詳述する。
図１において、符号１００は、ベッド２００の頭部側壁面２０１に設置された本発明の医療用コンソールユニットを示し、医療用コンソールユニット１００は、本体１と、本体１の側面側に回転ヒンジ４００、４００を介して回転自在に取り付けられる連結体４と、連結体４と連結され、本体１の前面側に設置される扉体２と、扉体２上方側に設けられたパネル体３より構成されている。
尚、図１におけるベッド２００の頭部側壁面２０１側を後面、その対向側を前面とし、前面、後面方向を前後方向とし、左右方向は、前面側から後面側を見た状態での左右方向と便宜的に設定する。
【００１４】
本体１は、前面側が開口する平面視略コ字形の基枠１１と、基枠１１の上端部に取り付けられた隙間調整材１２と、基枠１１の左右間の所定位置に取り付けられた左右区画板１３と、基枠１１の下端部の前面側開口部を閉塞する巾木板１４とで縦長箱状に形成されると共に、基枠１１の上下方向中間付近の前面側に、医療用ガスのアウトレット（取出金具）用のアウトレット開口部１５１が設けられたガス取出用化粧カバー１５が着脱自在に取り付けられ、該ガス取出用化粧カバー１５の下方部に、電気設備の種類に応じた電気設備開口部１６１が設けられた電気設備用化粧カバー１６が着脱自在に取り付けられたものである。
左右区画板１３によって、本体１の内部は、ガス配管スペース、強電スペース、弱電スペースに別けられる。
尚、これらのアウトレット開口部１５１、電気設備開口部１６１の数量・位置は、医療用コンソールユニットが設置される病室の仕様に応じて適宜設定されるものである。
【００１５】
そして、アウトレット２１、医療用壁掛式吸引器の取り付けフック２２がアウトレット開口部１５１から露呈するように、アウトレット２１、医療用壁掛式吸引器の取り付けフック２２が基枠１１に設けられた取り付け座１７に取り付けられ、医用コンセント２３、医用接地端子２４の接続部が電気設備開口部１６１から露呈するように、医用コンセント２３、医用接地端子２４の接続部が電気設備用化粧カバー１６に取り付けられている。
尚、アウトレット取り付け部付近の本体１の内部には、左右区画板１３が設けられないが、区画カバー体１３ａによってガス配管スペース、強電スペース、弱電スペースに別けられる。
また、アウトレット取り付け部の下方部の本体１の内部には、隔壁板１３ｂが設けられ、隔壁板１３ｂによって、隔壁板１３ｂ下方部の電気配線スペースと隔壁板１３ｂ上方部ガス配管スペースに別けられる。そして、隔壁板１３ｂには前記区画カバー体１３ａによって形成された強電スペース、弱電スペース部に対応して連通孔１３ｃが設けられており、電気配線を本体１の上端から下端部まで通すことができるようになっている。
【００１６】
これらのガス取出用化粧カバー１５、電気設備用化粧カバー１６の前面側は、閉止時の扉体２によって露呈しないように覆われる。
【００１７】
隙間調整部材１２は、基枠１１の上端と天井下面との隙間を埋めるものであって、後面側が開口する平面視略コ字形を成し、上下高さ調節可能に基枠１１に取り付けられている。
【００１８】
基枠１１の右側面には、電気設備の種類に応じた側面電気設備開口部１１１が形成され、該側面電気設備開口部１１１に、患者による操作によって医療従事者を呼び出すためのナースコール子機器具２５と照明器具用スイッチ２６、一般用コンセント２７が取り付けられている。
尚、これらの側面電気設備開口部１１１の数量・位置は、医療用コンソールユニットが設置される病室の仕様に応じて適宜設定されるものである。
【００１９】
扉体２は縦長矩形の板状であって、ガス取出用化粧カバー１５、電気設備用化粧カバー１６の前面を覆い、アウトレット２１、医療用壁掛式吸引器の取り付けフック２２や医用コンセント２３等が隠蔽できる大きさに設定され、左側端部側を回転軸として連結体４を介して回転開閉自在に基枠１１に取り付けられている。また、扉体２に右側端部付近の正面には扉体の開放用の取手２０が取り付けられている。
【００２０】
連結体４は扉体２と略同じ高さに設定された縦長矩形の板状であって、連結体４と扉体２とで水平断面Ｌ字状の形態となるように、連結体４の前端が扉体２の左側後面と連結される。そして、連結体４の後端部が回転ヒンジ４００、４００と連結される。
【００２１】
回転ヒンジ４００は、広く知られた公知技術であるため、簡単に説明する。
回転ヒンジ４００は、固定側部材４０１と回転側部材４０２と回転軸４０３で構成され、回転軸４０３によって、固定側部材４０１と回転側部材４０２が回転軸４０３を軸として互いに回転自在に取り付けられている。そして、固定側部材４０１と回転側部材４０２のそれぞれには、回転ヒンジ４００を取り付けるための固定孔が複数個設けられているものである。
【００２２】
そして、このような回転ヒンジ４００が２体用意され、回転ヒンジ４００、４００の固定側部材４０１、４０１が、本体１の基枠１１の左側面の上方と下方にそれぞれネジ止めされ、回転側部材４０２、４０２が連結体４の後側内面（右側面）の上方と下方にネジ止めされる。
【００２３】
このように取り付けられた扉体２は、閉塞状態から取手２０を手前に引くと、ヒンジ４４００の回転軸４０３を軸として連結体４とともに回転開放する。
この時、回転軸が、連結体４を介して本体の後方側に位置しているので、扉体２は、回転軸４０３から連結体４の前後方向分の寸法と略同一の寸法分を回転半径として左側に開放されていくこととなる。
そして、扉体２が閉塞した状態から約９０度開いた状態（図８の状態）で、扉体２は、回転軸４０３（本体左側面）から前記回転半径分左側に移動したことになる。
また、約９０度開いた状態の扉体２の後端側は、本体１の前面より、前記回転半径分後退したことになる。
すなわち、本体１の前面付近に回転軸を設けて、扉体２を回転開放可能にした場合（図１０）と比べて、約９０度開いた状態の扉体２の前端が、前記回転半径分後方に退避できることになる。
【００２４】
このように、連結体４は、扉体２を開放状態で後方に退避できるようにするものであるから、連結体４は、図９に示すように板状とせずとも、アーム状の連結体４ａを上下に配設して、上下に取り付けられた回転ヒンジ４００と連結してもよい。
ただし、前述の実施例のように連結体４を板状として、回転ヒンジ４００、４００を連結体４の上下に連結したほうが、アーム状の連結体４ａに比べ、簡単な構造でねじれ剛性が確保しやすいため、回転中に回転ヒンジ４００、４００間でのねじれ現象が起きない。
また、連結体４を板状とした方が、扉体２と同様の設備や工程で製造できるので製造手間が省ける効果もある。
さらに、精神的な安らぎを求める病院の病室において、機械的なものが見えることは好ましいことではないため、機械的に見えるアーム状に比べ扉体と一体感のある板状の方が意匠的に適している。
【００２５】
扉体２の閉塞時にキャッチ２１によって、不用意に扉体２が開放しないように施される。キャッチ２１は、扉体２の右端部裏面側に設けられるキャッチ部材２１１と、基枠１１の右端部正面側に設けられるキャッチ受け２１２とで構成されるものであって、キャッチ部材３１１とキャッチ受け２１２が係合することによって不用意な扉体２の開放を防止している。
扉体２は施錠装置などを設けることによって、管理者以外が不用意に開放できないようにしてもよい。
【００２６】
パネル体３は、扉体２とほぼ同じ厚みと左右巾の縦長矩形の板状に形成され、扉体２の上方の基枠１１の前面のメンテナンス用開口部を閉塞するように、キャッチ３０１などで着脱自在に基枠１１に取り付けられている。パネル体３は、意匠上の役割に加え、本体１の内に配設されるガス配管や電気配線などをメンテナンスするときに、本体１から一時的に外されるメンテナンスカバーの役割も兼ねているものである。
当然ながら、パネル体３は、扉体２と連結体４で形成される断面Ｌ字型に形成させてもよい。この方が、意匠性に優れる効果がある。
また、パネル体３は、ヒンジなどを用いて回動開閉できるようにしてもよい。この場合、悪戯防止のため、鍵で施錠するなど容易に開閉出来ないようにしたほうが良い。
他に扉体２を上方まで延伸させ、扉体２で隠れる部分にパネル体３を設置しても良い。この場合、パネル体３の表面は、ガス取出用化粧カバー１５の表面と面一となるようにした方が見栄えがよい。
【００２７】
連結体４の前後長さ寸法、すなわち、扉体２の回転半径は、１００ミリメートルから２５０ミリメートルの間とする方が良い。
縦型の医療用コンソールユニットは図１のように、ベッド２床間の中心部を対称に設置されることが多い。そして、２体の医療用コンソールユニットの間は３００ミリメートルから６００ミリメートル開けられることが一般的である。
そして、２体の医療用コンソールユニットの間には天井から仕切りカーテンが吊るされることも一般的である。
そのため、扉体２の回転半径は、医療用コンソールユニットの回転ヒンジ側側面と仕切りカーテン間で扉体２が開放できるようにすることが求められる。
カーテンの占有寸法を１００ミリメートルとすると、２体の医療用コンソールユニットの間の内、２００ミリメートルから５００ミリメートルが扉体２の回転後の収容スペースとして利用が可能である。
医療用コンソールユニット２体で２００ミリメートルから５００ミリメートルであるから、医療用コンソールユニット１体当たり、１００ミリメートルから２５０ミリメートルが扉体２の回転後の収容スペースとして利用できる。そのため、連結体４の前後長さ寸法、すなわち、扉体２の回転半径は、１００ミリメートルから２５０ミリメートルの間とする方が、医療用コンソールユニットの設置がしやすい。
【００２８】
また、本実施例のように本体１１の奥行きを、連結体４の前後長さ寸法より、扉体２の厚み、あるいは連結体４の厚み相当分だけ深く設定すると、扉体２を開放させた状態で、連結体４の左側面、あるいは、扉体２の左側端面が頭部側壁面２０１に接するので、扉の開放ストッパーを別段設置する必要がなく、頭部側壁面２０１を保護する目的で小さな樹脂性の緩衝材を貼り付ける程度でよくなるのでコストダウンを図ることができる。
この場合、回転ヒンジ４００は、回転軸４０３が本体１１の後面から、扉体２の厚み、あるいは連結体４の厚み相当分前方となる位置に取り付けられる。
【００２９】
扉体２が閉塞した状態で、扉体２の連結体側が前方で、対向側が後方になるように傾斜させると、アウトレットなどが患者側に向くので使い勝手もよくなることに加え、扉体２の収容時に、前述の実施例と比較して、扉体２をより多く本体１の側面側で隠すことができる。
【００３０】
アウトレット２１、医療用壁掛式吸引器の取り付けフック２２や医用コンセント２３、医用接地端子２４、扉体２は、本体の正面側ではなく、本体の側面側に設置しても良い。
この場合、ナースコール子機器具２５と照明器具用スイッチ２６は、本体の側面側のアウトレット下方部に設置されることになるため、ナースコール子機器具２５と照明器具用スイッチ２６が常時露呈するように、扉体２をアウトレットが隠蔽する大きさ（高さ）とし、アウトレットのみを隠蔽するほうが使い勝手に優れる。
この場合、パネル体３は、アウトレット組み付け部の上方側の本体１の側面側に設けてもよいが、アウトレット組み付け部の上方側の本体１の正面側に設けたほうがメンテナンス性に優れる。
【００３１】
図１１は、従来品であって、医療用壁掛式吸引器４００が、扉体２ａに干渉して、医療用壁掛式吸引器の取り付けフック２２に引っ掛けることができない状態を示している。
【符号の説明】
【００３２】
１        本体
２        扉体
３        パネル体
４        連結体
４００    回転ヒンジ
１００    医療用コンソールユニット
２１      アウトレット
２２      医療用壁掛式吸引器の取り付けフック
２５      ナースコール子機器具
２６      スイッチ
２７      コンセント
【図１】
2015211710.tif 000003
【図２】
2015211710.tif 000004
【図３】
2015211710.tif 000005
【図４】
2015211710.tif 000006
【図５】
2015211710.tif 000007
【図６】
2015211710.tif 000008
【図７】
2015211710.tif 000009
【図８】
2015211710.tif 000010
【図９】
2015211710.tif 000011
【図１０】
2015211710.tif 000012
【図１１】
2015211710.tif 000013